(57)【要約】【課題】  自転車に幼児を同乗させる場合に、自転車に特定構造の補助席を付設して、補助席に幼児を乗せても、また補助席に荷物を乗せても、幼児と荷物とを雨から守り、しかも安全に自転車を走行させることのできるような雨具を提供しようとする。【解決手段】  補助席として自転車の後部に取り付ける形式のもので、座席シートに背凭れと、左右の両側壁と把手とを付設した構造のものを用い、雨具としては、柔軟な不透水性シートで作られ、背凭れと両側壁と把手とを覆う箱蓋状のものを用い、上面中央の背凭れ寄りの位置に幼児の頭を覆うフードを付設する。【選択図】      図２
2006022448.tif 000002
【特許請求の範囲】
【請求項１】
自転車の後部補助席に乗せた幼児又は荷物を雨から守るための雨具であって、柔軟な不透水性のシートで作られた箱蓋状の本体と、幼児の頭から首を覆うフードとからなり、上記箱蓋状の本体は、補助席の背凭れと、左右の両側壁と、前端に起立する把手とを覆う角筒と、この角筒の上端を塞ぐ上面とで構成され、上面には中央部背凭れ寄りの位置に開口が設けられ、フードは四辺形の２枚のシートを隣り合う２辺において接続し、接続された四辺形の一辺の両端を何れも内側へ折曲してこれを下端とし、下端を上記本体の開口の周りに接続して本体と一体にしたことを特徴とする、自転車用雨具。
【請求項２】
上記上面を背凭れがわから把手がわに向かって次第に低くしたことを特徴とする、請求項１に記載の自転車用雨具。
【請求項３】
上記上面には開口から把手方向へ向かって延びる割目を設けて、割目を開閉自在にしたことを特徴とする、請求項１又は２に記載の自転車用雨具。
【請求項４】
フードは前方に向く開口の縁辺を折り返して、そこに縁辺に沿って延びる管状部分を形成し、管状部分内に紐を通して開口を狭めることができるようにしたことを特徴とする、請求項１−３の何れか１つの項に記載の自転車用雨具。
【請求項５】
上記主体の角筒の下端縁辺を折り返して、そこに縁辺に沿って延びる管状部分を形成し、管状部分内に紐を通し、紐の引締めにより下端を補助席の下面に沿わせるようにしたことを特徴とする、請求項１−４の何れか１つの項に記載の自転車用雨具。
【請求項６】
フードを把手がわに倒してフードの前端を上面に密接させ、上面の開口とフードの前端とを塞いで、補助席内に入れた荷物を雨から守るようにしたことを特徴とする、請求項１−５の何れか１つの項に記載の自転車用雨具。
【発明の詳細な説明】
【技術分野】
【０００１】
この発明は、自転車用雨具に関するものである。とくにこの発明は、自転車の後部に補助席を付設した場合、補助席に幼児を乗せても、また、荷物を乗せても何れもこれらを雨から守ることのできる雨具に関するものである。
【背景技術】
【０００２】
大人が自転車に幼児又は荷物を乗せて走行する場合には、自転車に補助席が設けられ、補助席内に幼児又は荷物が乗せられる。雨天時にこうして走行するには、幼児又は荷物が雨に濡れないようにすることが必要であって、そのためには雨具が必要とされる。このような雨具としては、これまで幼児用と荷物用と別々のものが必要とされた。
【０００３】
幼児用としては、普通の雨合羽が用いられ、幼児に雨合羽を着せてそのまま補助席に乗せることが行われた。この雨合羽は、その裾が幼児の膝下まで延びていて裾の下端は開放されたままの状態とされた。そのため、この合羽を着た幼児を補助席に乗せると、合羽の裾が補助席から垂れ下がり、垂れ下がった裾が自転車の車輪に絡まって不測の事故を招くこととなった。また、合羽にかかった雨が補助席へ滴り落ちて幼児を濡らすことにもなった。
【０００４】
荷物用としては、単に防水性シートを補助席に被せれば足りるので、比較的簡単なものが用いられた。特別な荷物用雨具として補助席全体を包む袋状にしたものも用いられた。しかし、幼児用と荷物用との２種類の雨具を用意することは煩雑であるから、これを簡単にする必要があった。
【０００５】
一般に、大人が幼児を自転車に同乗させた場合、幼児だけを独立して雨から守るに適した雨具は、これまで前述の雨合羽以外には提供されなかった。特開平７−７０８０４号公報は、主として幼児をベビーカーに乗せた場合に、幼児を雨から守る合羽を提案している。その公報は、その中で提案する合羽が自転車後部に幼児を乗せた場合にも、使用できると簡単に言及している。
【特許文献１】特開平７−７０８０４号公報
【０００６】
しかし、特開平７−７０８０４号公報は、もともと幼児がベビーカーに乗った状態で、幼児をベビーカーの一部とともに合羽で被覆することを骨子とするものである。すなわち、この公報は、ベビーカーの車輪とハンドルとを合羽から露出させた状態とすることを主としている。従って、この提案はこれをそのまま自転車に乗った幼児に適用することができない。なぜならば、自転車に乗った幼児に適用するには、ベビーカーの代わりにどのような座席を用意するかを説明することが必要であり、また、幼児とともに被覆するのは、座席のどの部分であるかを説明しなければならないところ、上記公報はこれらのことを全く説明していないからである。
【発明の開示】
【発明が解決しようとする課題】
【０００７】
この発明は、自転車の後部に幼児を同乗させる場合に、自転車に特定構造の補助席を付設することとし、この補助席に乗った幼児を雨から守り、幼児の被服を濡らすことなく、また裾を自転車の車輪に巻き込ませる危険もなく、安全に自転車を走行させることができるような、雨具を提供しようとするものである。それとともに、この発明は、幼児の代わりに補助席に荷物を乗せた場合にも、荷物を雨から守るのにそのまま使用できる雨具を提供しようとするものである。
【課題を解決するための手段】
【０００８】
自転車に幼児を乗せる場合には、自転車に幼児用の補助席を取り付けるのが普通である。その補助席としては自転車のサドルの前に取り付けるものや後に取り付けるものなど、色々の構造のものが提案されている。この発明者は、幼児を雨から守るには、自転車の後部に取り付ける補助席を用いるのが適していると考えた。
【０００９】
そのうちでも、適当なものは、幼児の座る座席シートの後縁に幼児の背中を支える背凭れが付設され、座席シートの左縁及び右縁にはそれぞれ左及び右の側壁が付設され、座席シートの前縁には把手が起立している構造のものである。この発明は、このような構造の補助席を自転車の後部に付設し、付設した補助席に幼児又は荷物を乗せた場合に、幼児又は荷物を雨から守るに適した雨具を提供しようとするものである。
【００１０】
この発明は、幼児を雨から守るための雨具として、幼児の頭から首にわたる部分にはフードを付設することとし、幼児の肩から下の部分は補助席の背凭れ、両側壁及び把手を覆う箱蓋状のものとすることを骨子とするものである。
【００１１】
すなわち、この発明は、自転車の後部補助席に乗せた幼児又は荷物を雨から守るための雨具であって、柔軟な不透水性のシートで作られた箱蓋状の本体と、幼児の頭から首を覆うフードとからなり、上記箱蓋状の本体は補助席の背凭れと左右の両側壁と、前端に起立する把手とを覆う角筒と、この角筒の上端を塞ぐ上面とで構成され、上面には中央部背凭れ寄りの位置に開口が設けられており、フードは四辺形の２枚のシートを隣り合う２辺において接続し、接続された四辺形の一辺の両端を内側へ折曲して両端に同じような重ね合わせ部分を作ってこの辺を下端とし、下端を上記本体の開口の周りに接続して本体と一体にしたことを特徴とする、自転車用雨具を提供するものである。
【００１２】
この発明で用いる柔軟な不透水性シートは、不織布又は糸を編織して作った布帛に、防水加工を施したものであってもよく、また柔軟な合成樹脂製のシートであってもよい。糸としては、とくにポリエステル樹脂製のものであることが好ましい。
【００１３】
これらのシートを箱蓋状にするには、適当に裁断したシートを糸によって縫い合わせるのが好ましいが、また接着剤によって接着してもよく、また加熱によって融着してもよい。何れにしても、その縫い合わせ、接着又は融着部分は水を透過させない状態とすることが必要である。フードを作る際も同様であって、またフードと本体とを接続する場合も同様である。
【００１４】
本体の上面に設けられる開口は、幼児の頭を通過させて首を通しておくためのものである。この開口は上面をとくに切断して設ける必要がなく、例えば裁断したシートを縫い合わせて本体とする際に、開口の位置で縫い合わせを省略することによって作ることができる。
【００１５】
本体の上面には上記の開口から把手の方向へ向かって延びる割目を設けることが好ましい。この割目は幼児が開口に頭を通すときに、頭の通過を容易にするためのものである。この割目は開閉自在とし、閉じたときは水を通さないものとする。そのために、この割目にはジッパーを付したり、割目を２枚のシートの重ね合わせで作り、重ね合わせ面をベルクロなどの平面ファスナーで密接させるようにする。
【００１６】
箱蓋状の本体は、これを補助席に被せるために下端が開放されている。この下端は補助席の下面より下方へ突出するようにされる。これによって、本体の下端から雨水が本体内へ進入するのが防がれる。
【００１７】
本体は強風に煽られたとき、又は何等かのはずみに補助席から剥がされるおそれがある。そこで、本体が補助席から剥がされることを防ぐために、本体の下端に補助席への固定具を付設する。固定具は角筒の下端を折り返して、そこに下端に沿って延びる管状部分を形成し、管状部分内に紐を通したものであることが好ましい。この場合には、紐の引き締めにより、開放口を狭めて固定できることとなる。そのほか固定具は角筒の各面を別々に折り曲げて補助席の下面に沿わせたとき、折り曲げによって重なり合うに至る面に平面ファスナーを付設して固定してもよい。
【発明の効果】
【００１８】
この発明に係る雨具は、自転車の後部補助席を上から覆う箱蓋状の本体と、幼児の頭を覆うフードとを柔軟な不透水性シートで一体に作成したものからなり、箱蓋状本体はその上面に開口が設けられているけれども、その開口の周りにはフードの下端が接続されているので、フードを上面上に倒して開口をフードによって塞ぐことができ、従ってこの雨具は恰も本体だけから成るような構造のものとして補助席に被せ、補助席に乗せた荷物を雨から守ることができる。
【００１９】
また、この発明に係る雨具は、上述のように本体の上面に開口を備えているので、幼児を補助席に乗せたのち、この雨具の本体を補助席に被せ、それと同時に幼児の頭を開口に通して本体から突出させ、頭にフードを被せることにより幼児を雨から守ることができる。また、上述のように本体が補助席を雨から守るから、幼児は充分に雨から保護されることになる。
【００２０】
とくに、本体の上面を背凭れがわから把手がわに向かって次第に低くしておくと、雨具上に降った雨は上面上に溜まらなくなるから、幼児又は荷物を雨から守りやすくなる。
【００２１】
また、本体の上面に開口から把手方向へ向かって延びる割目を設け、割目を開閉自在にしておくことにより、幼児の頭を開口に通すことが容易となり、またこの割目からの雨水の進入を防ぐことができる。
【００２２】
また、フードは幼児の顔の周りから雨の進入を防ぐために、開口の縁辺を折り返して、そこに縁辺に沿って延びる管状部分を形成し、管状部分内に紐を通して開口を狭めることができるようにする。
【００２３】
さらに、この雨具では主体の角筒下端の縁辺を折り返して、そこに縁辺に沿って延びる管状部分を形成し、管状部分内に紐を通しておき、紐の引締めにより下端を補助席の下面に沿わせるようにすると、雨具が風などによって煽られても、これによって剥がされることを防ぐことができ、また主体の下端が自転車の車輪に巻き込まれることを防ぐことができる。こうして、幼児及び荷物を安全に雨から守ることができる。
【００２４】
また、この雨具は、全体が柔軟なシートで構成されているので、晴天時にはこれを折り畳んで小袋に入れ、自転車の任意の部分に付設しておくことができるので、携行に便利である。さらに、この雨具は幼児用にも荷物用にも使用することができるので便利である。この発明は、このような利点をもたらすものである。
【発明を実施するための最良の形態】
【００２５】
この発明を実施の一例について図面に基づいて説明すると、次のとおりである。図１は、この発明で用いる補助席が自転車に取り付けられた状態を示す斜視図である。図２は、この発明に係る雨具が広げられた状態を示す一部切欠斜視図である。図３は、この発明に係る雨具のフード部分の斜視図である。図４は、補助席に乗せた幼児にこの発明に係る雨具を着せた状態を示した斜視図である。図５は、この発明に係る雨具をシートの縫い合わせによって作る場合、縫い目の一例を示した説明図である。
【００２６】
この発明で用いる補助席は、それ自体公知のものであって、図１に示したような構造を持っており自転車の後部に付設される。この補助席は、座席シート１の後縁に背凭れ２が付設され、座席シート１の左縁及び右縁にはそれぞれ左側壁３及び右側壁４が付設され、座席シート１の前縁には把手５が起立して付設されている。背凭れ２は、座席シート１に幼児が座ったとき、幼児の背中を支えるためのものであり、左及び右の両側壁は幼児の尻が両側へ食み出さないようにするためのものである。背凭れ２の上方には通常頭を支える枕が付設される。
【００２７】
背凭れ２の上端は、左右の両側壁３及び４の上端よりも高い位置にあり、両側壁３及び４の上端は前へ進むに従って、次第に低くなっている。左右の側壁３及び４は、背凭れ２と一体に連設されて、ほぼコの字状の柵を構成している。背凭れ２及び両側壁３、４は金網で作られることが多い。両側壁３及び４と把手５との間には、幼児が足を垂下させるに充分な隙間が形成されている。
【００２８】
この発明に係る雨具は、図２に示したように、箱蓋状の本体Ａと幼児の頭を覆うフードＢとで作られている。本体ＡとフードＢとは、何れも柔軟な不透水性のシートで作られている。本体Ａは、後面１２と、左面１３と、右面１４と、前面１５とからなる角筒と、この角筒の上端を覆う上面とで構成されている。後面１２は、補助席の背凭れに外接する部分であり、左面１３と右面１４とはそれぞれ補助席の左側壁と右側壁とに外接する部分であり、前面１５は補助席の把手に外接する部分である。従って本体Ａは補助席を上から被せることができるものである。
【００２９】
本体Ａは、下端が開放されて開放口１７が形成されている。上面１６は、左右方向の中央部で後面１２寄りの位置に、幼児の頭を通すための開口１８が付設されている。開口１８の周りには、幼児の頭に被せるためのフードＢが付設される。また、上面１６には開口１８から前面１５へ向かう割目１９が設けられる。割目１９は上面１６を構成している右側シートと左側シートとが重なり合って構成されている。その重なり合った部分には、マジックテープと呼ばれている平面ファスナー１６１を取り付けて、その間を閉鎖可能にしている。
【００３０】
角筒では、後面１２が下端まで左面１３と右面１４とに接続されているが、前面１５は下端では左面１３と右面１４とに接続されていなくて、その間に切れ目が設けられている。左面１３と右面１４との下端は折り返されて、そこに下端に沿って延びる管状部分２０が形成されている。この管状部分２０内には紐２１が通され、紐２１は後面１２に接する部分で後面に固定され、その他の部分は管状部分内で移動自在にされており紐２１の前端は前面１５がわへ突出している。
【００３１】
そのため紐２１は、本体Ａを補助席に被せたあとで、左右の紐２１を互いに引き寄せて結び合わせることにより、本体Ａの下端を補助席の下面に沿わせることができ、これによって本体Ａが風により補助席から剥がされることを防止することができ、また本体Ａの下端が自転車の車輪に巻き込まれることを防止することができる。
【００３２】
本体Ａの下端は、上述のようにそこに管状部分２０と紐２１とを付設する代わりに、本体Ａの下端を補助席の下面に沿って折曲した場合に、２つの面が重なり合う部分に平面ファスナーを付設して固定してもよい。
【００３３】
前面１５には補助席の把手５が近接している。把手５を幼児が掴むのを容易にするために、前面１５には割目を設ける。その割目では上片１５１が外側に位置し、下片１５２が内側に位置し、その間に上片１５１と下片１５２とが重なり合った部分が存在するようにする。また、その重なり合った部分には前述の平面ファスナーを付設して、割目を閉鎖可能にしておいてもよい。
【００３４】
この発明に係る雨具の本体Ａを補助席に被せるときには、補助席の把手を初め前面１５の下片１５２の外側に置いて、あとで下片１５２と上片１５１との重ね合わせ部分から把手を本体Ａ内に挿入してもよい。その代わりに、把手を下片１５２の内側に初めから挿入してもよい。何れにしても、幼児は本体Ａ内で把手を掴むことができるようにする。上片１５１と下片１５２との間では上片１５１が外側に位置して下片１５２の上へ延びているから、その隙間から雨が進入することが防がれる。
【００３５】
フードＢは図３に示したように、２枚の矩形シートを重ねて隣り合う２辺ＬとＭとを縫い合わせて接続し、接続されて一直線に延びることとなった辺Ｎを辺Ｌに垂直に向け、両端を何れも内側へ折曲して、両端間に隙間Ｐを残して、折り目ＱとＲとを固定して作られている。辺ＬがフードＢの上端となり、折り目ＱとＲとを結ぶ辺Ｎが下端となって、下端が本体の上面開口１８に接続される。こうして作られたフードでは、辺Ｍに対向する開口が幼児の顔を露出させることになる。
【００３６】
フードＢは、上面１６と同じく柔軟なシートで作られ、その下端の辺Ｎが上面１６の開口１８の周りに固定されているから、フードＢは上面１６上で起立させることも倒伏させることも自在となっている。そこで、フードＢの前面の上端近くに平面ファスナー２２を付設してフードＢを倒伏したとき、平面ファスナー２２が上面１６上に付設された平面ファスナー２３に固定できるようにして、フードＢが上面１６上で移動することを防ぎ、また開口１８を塞ぐようにすることができる。
【００３７】
図２に示したこの発明に係る雨具を補助席に乗った幼児に着せた状態が、図４に示されている。図４では幼児が雨具の開口１８から頭を出し、その頭にはフードＢが被せられ、顔だけを露出させているから、幼児は雨から充分に守られている。
【００３８】
しかも、雨具の下端にある開放口では、紐２１が付設されているので、紐２１を締めることにより、開放口の縁辺を補助席の内側へ折曲し、図４に示したように、両側からの紐の端をサドルの下のポストで結び合わせてポストに固定して、座席シートの下面に沿わせた状態とすることができる。これにより、雨具の下端が自転車の車輪に巻き込まれるおそれがなくなる。また、風などに煽られて雨具の剥がされることが防がれ、開放口から雨水が補助席内へ進入するおそれもなくなる。こうして幼児を雨から守りながら安全に自転車を走行させることができる。
【００３９】
一般に補助席では背凭れの上端が把手よりも高い位置にあるから、この発明に係る雨具を幼児が着用するときは、上面は後面から前面に向かって次第に低くなるように傾斜することとなる。また、幼児が上面１６の開口１８から頭を突出させることによって、上面１６は左右方向では中央部が高く端へ近づくほど次第に低くなるように傾斜することとなる。このため、上面１６上には雨水の溜まることが少なく、しかも割目１９は閉鎖可能とされているから、上面１６から雨具内に雨水の進入することは殆どない。
【００４０】
この発明に係る雨具は、曲面を含んでいないから、平面状のシートを直線に沿って裁断し、その縁を直線に沿って縫い合わせるだけで作ることができる。すなわち、図５に重ね合わせ部と記載した部分を重ね合わせにし、実線で示した部分を縫い合わせるだけで、雨具とすることができる。
【００４１】
詳しく云えば、図５において左面１３は一枚の平面シートで構成され、右面も同様に一枚の平面シートで構成されている。上面１６の後部分は後面からフードＢまでを構成する一枚の左後シート１６３と一枚の右後シート１６４とを直線に沿って縫い合わせ、フードＢの部分だけは両側から切れ目を入れて、図３に示したように切れ目の両端を折り目ＱとＲとで折り返して辺Ｎを形成して作られる。
【００４２】
こうして作られた上面１６の後部分に左中シート１６５と右中シート１６６とを縫い合わせる。このとき、フードＢの折り目ＱとＲとの間では、折り返し部分を左中シート１６５と右中シート１６６と縫い合わせるだけとして、そこに開口１８を形成する。左中シート１６５と右中シート１６６との間は重ね合わせ部を形成するとともに縫い合わせる。こうして上面１６の中央部分を形成する。
【００４３】
こうして作られた上面１６の中央部にさらに前上シート１６７を縫い合わせて、上面１６が完成される。前上シート１６７は前面１５の一部（図２中の上片１５１）まで延びている。前面１５は、前上シート１６７の端の内側に前シート１６８を重ね合わせて完成される。前上シート１６７は図２中の下片１５２に相当するものである。
【００４４】
なお、図５において、点線は縫い合わせが行われていない辺又は稜線を示している。また、図５において、重ね合わせ部と記載した部分は縫い合わされていない部分であって、その間を開閉可能とされている。重ね合わせ部分はジッパーを付することもできる。また、図５において、縫い合わせ部分は接着その他の結合手段に代えることができる。
【００４５】
このように、この発明に係る雨具は、平面状のシートを直線に沿って縫い合わせるか又は重ね合わせるだけで作ることができるので、製作が容易であるという特色を持っている。
【図面の簡単な説明】
【００４６】
【図１】この発明で用いる補助席が自転車に取り付けられた状態を示す斜視図。
【図２】補助席に被せたこの発明に係る雨具の一部切欠斜視図。
【図３】この発明に係る雨具中のフードの一例を示した斜視図。
【図４】この発明に係る雨具を補助席に乗った幼児に着せた状態を示す斜視図。
【図５】この発明に係る雨具の製作時、縫い合わせ個所を示した説明図。
【符号の説明】
【００４７】
１                    座席シート
２                    背凭れ
３                    左側壁
４                    右側壁
５                    把手
１２                  後面
１３                  左面
１４                  右面
１５                  前面
１６                  上面
１７                  開放口
１８                  開口
１９                  割目
２０                  管状部分
２１                  紐
２２、２３、１６１    平面ファスナー
１５１                上片
１５２                下片
１６３                左後シート
１６４                右後シート
１６５                左中シート
１６６                右中シート
１６７                前上シート
１６８                前シート
Ａ                    雨具の本体
Ｂ                    雨具のフード
Ｌ、Ｍ、Ｎ            辺
Ｑ、Ｒ                折り目
【図１】
2006022448.tif 000003
【図２】
2006022448.tif 000004
【図３】
2006022448.tif 000005
【図４】
2006022448.tif 000006
【図５】
2006022448.tif 000007